【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
少なくとも２つの反応物質を組み合わせることにより所望の化学製品を自動的に生産するための自動化連続的処理並列化学製品生産システムであって、以下の(ａ)、(ｂ)、(ｃ)および（ｄ）を備えることを特徴とする自動化連続的処理並列化学製品生産システム、すなわち、
（ａ）それぞれ一定量の前記所望の化学製品を生産するように構成された複数の化学リアクタであって、それぞれの化学リアクタは少なくとも第１の反応物質入口、第２の反応物質入口、第１の反応物質入口および第２の反応物質入口と流体連通の状態で結合した反応体積、ならびに前記反応体積と流体連通の状態で結合した生成物出口を備える、複数の化学リアクタと、
（ｂ）反応物供給装置であって、以下の（ｉ）及び（ｉｉ）、すなわち、
（ｉ）第１の反応物質供給容器と流体連通の状態に置かれ、それぞれの化学リアクタの前記第１の反応物質入口を前記第１の反応物質供給容器と流体連通の状態で選択的に結合し、前記複数の化学リアクタのそれぞれの第１の反応物質入口が前記第１の反応物質供給容器と並列に結合されるように構成された第１の反応物質供給アセンブリと、
（ｉｉ）第２の反応物供給容器と流体連通の状態に置かれ、それぞれの化学リアクタの前記第２の反応物質入口を前記第２の反応物質供給容器と流体連通の状態で選択的に結合し、前記複数の化学リアクタのそれぞれの第２の反応物質入口が前記第２の反応物質供給容器と並列に結合されるように構成された第２の反応物質供給アセンブリと、
を備える反応物供給装置と、
（ｃ）生成物受取装置と流体連通の状態に置かれ、それぞれの化学リアクタの前記生成物出口を流体連通の状態で前記生成物受取装置と選択的に結合するように構成された生成物回収アセンブリと、
（ｄ）前記第１の反応物質供給アセンブリ、前記第２の反応物質供給アセンブリおよび前記生成物回収アセンブリとを制御を可能なように結合したシステムコントローラであって、該システムコントローラは前記複数の化学リアクタによる前記所望の化学製品の生産を監視、制御し、前記複数の化学リアクタのうちの少なくとも１つをバックアップリアクタとして指定することにより、該システムコントローラが、以下の（ｉ）、（ｉｉ）および（ｉｉｉ）、すなわち、
（ｉ）前記第１の反応物質供給アセンブリが、前記バックアップリアクタの前記第１の反応物質入口を前記第１の反応物質供給容器から隔離し、その一方で、それぞれの他の化学リアクタの前記第１の反応物質入口を前記第１の反応物質供給容器と並列に、流体連通の状態で結合し、もって、前記システムが自動的に所望の化学製品を生産している間、バックアップリアクタとして指定されていないそれぞれのリアクタの第１の反応物質入口が、前記第１の反応物質供給アセンブリと流体連通の状態で結合し、もって、第１の反応流体が、バックアップリアクタとして指定されていないそれぞれのリアクタに同時に供給され、
（ｉｉ）前記第２の反応物質供給アセンブリが、前記バックアップリアクタの前記第２の反応物質入口を前記第２の反応物質供給容器から隔離し、その一方で、それぞれの他の化学リアクタの前記第２の反応物質入口を前記第２の反応物質供給容器と並列に、流体連通の状態で結合し、もって前記システムが自動的に所望の化学製品を生産している間、バックアップリアクタとして指定されていないそれぞれのリアクタの第２の反応物質入口が、前記第２の反応物質供給アセンブリと流体連通の状態で結合し、もって、第２の反応流体が、バックアップリアクタとして指定されていないそれぞれのリアクタに同時に供給され、
（ｉｉｉ）前記生成物回収アセンブリが、前記バックアップリアクタの前記生成物出口を前記生成物受取装置から隔離し、その一方で、それぞれの他の化学リアクタの前記生成物出口を前記生成物受取装置と流体連通の状態で結合するようにする、
システムコントローラと、
を備えることを特徴とする自動化連続的処理並列化学製品生産システム。
【請求項２】
請求項１に記載の自動化連続的処理並列化学製品生産システムであって、それぞれの化学リアクタは、マイクロリアクタを備えることを特徴とする自動化連続的処理並列化学製品生産システム。
【請求項３】
請求項１に記載の自動化連続的処理並列化学製品生産システムであって、それぞれの化学リアクタは、実質的に同じ処理状態をもたらすように構成されることを特徴とする自動化連続的処理並列化学製品生産システム。
【請求項４】
請求項１に記載の自動化連続的処理並列化学製品生産システムであって、それぞれの化学リアクタは、前記所望の化学製品を生産するために自動化並列化学製品生産システムが使用される前に、前記所望の化学製品を生産するための好ましい処理条件を決定するために使用される試験リアクタと実質的に同じであることを特徴とする自動化連続的処理並列化学製品生産システム。
【請求項５】
請求項１に記載の自動化連続的処理並列化学製品生産システムであって、前記システムコントローラは、所定の期間の経過後、前記複数の化学リアクタのうちの異なる１つを前記バックアップリアクタとして指定し、前記バックアップリアクタとしてすでに指定されている前記化学リアクタは、その後、前記第１の反応物質供給容器、前記第２の反応物質供給容器、および前記生成物受取装置と流体連通の状態で結合され、その一方で、新しくバックアップリアクタとして指定された前記化学リアクタは、前記第１の反応物質供給容器、前記第２の反応物質供給容器、および前記生成物受取装置から隔離され、それによって、前記新しく指定されたバックアップリアクタはメンテナンス作業に使用できるようになり、長期間にわたって前記所望の生成物の連続的生産が促進されることを特徴とする自動化連続的処理並列化学製品生産システム。
【請求項６】
請求項１に記載の自動化連続的処理並列化学製品生産システムであって、前記生成物回収アセンブリは、それぞれの化学リアクタ用のセンサを備え、それぞれのセンサは前記化学リアクタの前記生成物出口と前記生成物受取装置との間に配置され、それにより、前記化学リアクタからの前記化学製品の品質の指標が前記システムコントローラに供給されることを特徴とする自動化連続的処理並列化学製品生産システム。
【請求項７】
請求項６に記載の自動化連続的処理並列化学製品生産システムであって、前記システムコントローラは、前記センサのうちの１つが、それに対応する化学リアクタにより生産される前記化学製品の品質が所定の標準から逸脱していることを示した場合に、前記複数の化学リアクタのうちの異なる１つを前記バックアップリアクタとして指定するようにプログラムされ、前記バックアップリアクタとしてすでに指定されていた前記化学リアクタは、その後、前記第１の反応物質供給容器、前記第２の反応物質供給容器、および前記生成物受取装置と結合され、その一方で、前記新しく指定されたバックアップリアクタは、前記第１の反応物質供給容器、前記第２の反応物質供給容器、および前記生成物受取装置から隔離され、それによって、前記新しく指定されたバックアップリアクタはメンテナンス作業に使用できるようになり、長期間にわたって前記所望の生成物の連続的生産が促進されることを特徴とする自動化連続的処理並列化学製品生産システム。
【請求項８】
請求項１に記載の自動化連続的処理並列化学製品生産システムであって、
（ａ）前記第１の反応物質供給アセンブリおよび前記第２の反応物質供給アセンブリは、それぞれ、第１の溶媒供給容器および第２の溶媒供給容器と流体連通の状態で選択的に結合されるように構成され、これにより、それぞれの化学リアクタ毎に、
（ｉ）前記第１の反応物質供給アセンブリは、前記第１の反応物質入口を前記第１の反応物質供給容器および前記第１の溶媒供給容器のうちの一方と流体連通の状態で選択的に結合することができ、
（ｉｉ）前記第２の反応物質供給アセンブリは、前記第２の反応物質入口を前記第２の反応物質供給容器および前記第２の溶媒供給容器のうちの一方と流体連通の状態で選択的に結合することができ、
（ｂ）前記生成物回収アセンブリは、前記廃液受取装置と流体連通の状態で選択的に結合されるように構成され、これにより、それぞれの化学リアクタ毎に、前記生成物回収アセンブリは、前記生成物出口を前記生成物受取装置および前記廃液受取装置のうちの一方と流体連通の状態で選択的に結合することができ、それによって、前記バックアップリアクタを溶媒で洗浄することができることを特徴とする自動化連続的処理並列化学製品生産システム。
【請求項９】
請求項１に記載の自動化連続的処理並列化学製品生産システムであって、さらに、それぞれの化学リアクタおよび伝熱媒体供給容器と流体連通の状態で結合された共通熱交換アセンブリを備え、前記共通熱交換アセンブリは実質的に等しい熱条件をそれぞれの化学リアクタ内にもたらすことを特徴とする自動化連続的処理並列化学製品生産システム。
【請求項１０】
請求項９に記載の自動化連続的処理並列化学製品生産システムであって、前記複数の化学リアクタは、一般に同心円状構成で配列され、前記共通熱交換アセンブリは、前記複数の化学リアクタから外向きに配された第１の環状流体マニホールドおよび前記複数の化学リアクタから内向きに配置された第２の環状流体マニホールドを備え、それぞれの化学リアクタは、前記第１および第２の環状流体マニホールドと流体連通の状態で結合されることを特徴とする自動化連続的処理並列化学製品生産システム。
【請求項１１】
請求項１０に記載の自動化連続的処理並列化学製品生産システムであって、前記第１の流体ラインは、それぞれの化学リアクタに新鮮な伝熱媒体を供給し、前記第２の流体ラインは、それぞれの化学リアクタから使用済み伝熱媒体を回収することを特徴とする自動化連続的処理並列化学製品生産システム。
【請求項１２】
請求項１に記載の自動化連続的処理並列化学製品生産システムであって、前記複数の化学リアクタは、一般的同心円状構成で配列されることを特徴とする自動化連続的処理並列化学製品生産システム。
【請求項１３】
請求項１２に記載の自動化連続的処理並列化学製品生産システムであって、
（ａ）前記第１の反応物質供給アセンブリは、
（ｉ）前記第１の反応物質供給容器と流体連通の状態で結合するように構成された第１の反応物質分配装置と、
（ｉｉ）前記第１の反応物質分配装置を前記複数の化学リアクタのうちのそれぞれの第１の反応物質入口に選択的に結合するように構成され、それぞれの第１の反応物質流体ラインが、実質的に等しい第１の反応流体の流量を供給するように構成されている複数の第１の反応物質流体ラインとを備え、
（ｂ）前記第２の反応物質供給アセンブリは、
（ｉ）前記第２の反応物質供給容器と流体連通の状態で結合するように構成された第２の反応物質分配装置と、
（ｉｉ）前記第２の反応物質分配装置を前記複数の化学リアクタのうちのそれぞれの第２の反応物質入口に選択的に結合するように構成され、それぞれの第２の反応物質流体ラインが実質的に等しい第２の反応物質流体の流量を供給するように構成されている複数の第２の反応物質流体ラインとを備えることを特徴とする自動化連続的処理並列化学製品生産システム。
【請求項１４】
請求項１３に記載の自動化連続的処理並列化学製品生産システムであって、
（ａ）それぞれの第１の反応物質流体ラインが弁を備え、該弁はそれぞれのリアクタの前記第１の反応物質入口を、前記第１の反応物質供給容器および前記溶媒供給容器のうちの一方と流体連通の状態で選択的に結合するように構成され、それぞれの弁が前記システムコントローラと制御可能なように結合されており、
（ｂ）それぞれの第２の反応物質流体ラインが弁を備え、該弁はそれぞれのリアクタの前記第２の反応物質入口を前記第２の反応物質供給容器および前記溶媒供給容器のうちの一方と流体連通の状態で選択的に結合するように構成され、それぞれの弁が前記システムコントローラと制御可能なように結合されていることを特徴とする自動化連続的処理並列化学製品生産システム。
【請求項１５】
請求項１２に記載の自動化連続的処理並列化学製品生産システムであって、前記生成物回収アセンブリは、
（ａ）前記生成物受取装置と流体連通の状態で結合するように構成された生成物回収装置と、
（ｂ）前記生成物回収装置を前記複数の化学リアクタのそれぞれの生成物出口に選択的に結合するように構成され、それぞれの生成物流体ラインが実質的に等しい流量を供給するように構成されている複数の生成物流体ラインと、
を備えることを特徴とする自動化連続的処理並列化学製品生産システム。
【請求項１６】
請求項１５に記載の自動化連続的処理並列化学製品生産システムであって、それぞれの生成物流体ラインは弁を備え、該弁はそれぞれのリアクタの前記生成物出口を前記生成物受取装置および前記廃液受取装置のうちの一方と流体連通の状態で選択的に結合するように構成され、それぞれの弁は前記システムコントローラと制御可能なように結合されていることを特徴とする自動化連続的処理並列化学製品生産システム。
【請求項１７】
請求項１に記載の自動化連続的処理並列化学製品生産システムであって、さらに、それぞれのリアクタ出口から放出される生成物を熱的に調整するように構成された生成物熱交換アセンブリを備えることを特徴とする自動化連続的処理並列化学製品生産システム。
【請求項１８】
請求項１に記載の自動化連続的処理並列化学製品生産システムであって、前記生成物回収アセンブリは、それぞれのリアクタ出口から放出される生成物を熱的に調整するように構成された熱的調整構造物を備えることを特徴とする自動化連続的処理並列化学製品生産システム。
【請求項１９】
請求項１に記載の自動化連続的処理並列化学製品生産システムであって、それぞれの化学リアクタは、層状に積み重ねた複数の単純プレートを備え、それぞれのリアクタは、前記第１の反応物質入口に結合された第１の入口経路、前記第２の反応物質入口に結合された第２の入口経路を備え、それぞれの入口経路は前記リアクタ内で合体して、少なくとも２つの化学反応物質が反応して化学製品を生成する少なくとも１つの反応室を形成し、少なくとも１つの出口経路は前記少なくとも１つの反応室を前記生成物出口と流体連通の状態で結合し、それぞれの第１の反応物質入口、第１の反応物質経路、第２の反応物質入口、第２の反応物質経路、反応室、および生成物出口は、少なくとも１つの単一プレートを貫通する開口部を備え、該開口部は隣接する単一プレートを貫通する開口部の少なくとも一部と揃えられていることを特徴とする自動化連続的処理並列化学製品生産システム。
【請求項２０】
請求項１に記載の自動化連続的処理並列化学製品生産システムであって、それぞれの化学リアクタは、層状に積み重ねられた複数の単純プレートを備え、それぞれの単純プレートはそこを貫通して延びる少なくとも１つの開口部を持ち、それぞれの単純プレート内の開口部は隣接する単純プレート内の少なくとも１つの他の開口部とオーバーラップし、前記単純プレートは、そのように層状に積み重ねられたときに、
（ａ）前記第１および第２の反応物質用の流体経路と、
（ｂ）前記所望の化学製品用の流体経路と、
（ｃ）伝熱媒体用の流体経路と、
（ｄ）前記伝熱媒体用の前記流体経路と流体連通の状態で結合される熱交換機と、
（ｅ）前記積み重ねられたプレート・リアクタ内の流体の流れを操作し、所望の結果を得るための手段と、
を構成することを特徴とする自動化連続的処理並列化学製品生産システム。
【請求項２１】
請求項１に記載の自動化連続的処理並列化学製品生産システムであって、それぞれの化学リアクタは、層状に積み重ねられた複数の単純プレートを備え、それぞれの単純プレートはそこを貫通して延びる少なくとも１つの開口部を持ち、それぞれの単純プレート内の開口部は隣接する単純プレート内の少なくとも１つの他の開口部とオーバーラップし、それによって、
（ａ）前記第１および第２の反応物質用の流体経路と、
（ｂ）前記第１および第２の反応物質用のそれぞれの流体経路と流体連通の状態にある処理体積と、
（ｃ）前記処理体積と流体連通の状態にある前記所望の化学製品用の流体経路と、
（ｄ）伝熱媒体用の流体経路と、
（ｅ）前記伝熱媒体用の前記流体経路と流体連通の状態にあり、前記第１の反応物質、前記第２の反応物質、前記処理体積、および前記所望の化学製品用の流体経路のうちの少なくとも１つの温度を加減できるように配置された熱交換機と、
（ｆ）以下の（ｉ）及び（ｉｉ）、すなわち、
（ｉ）単位時間当たりの前記積み重ねプレート・リアクタにより生産される前記所望の化学製品の量と、
（ｉｉ）前記積み重ねプレート・リアクタにより生産される前記所望の化学製品の品質のうちの少なくとも１つを高める手段と、
を形成することを特徴とする自動化連続的処理並列化学製品生産システム。
【請求項２２】
請求項１に記載の自動化連続的処理並列化学製品生産システムであって、前記複数のリアクタおよび前記反応物質供給装置は、第１段階として構成され、さらに、複数の追加化学リアクタを備え、前記複数の追加化学リアクタおよび前記生成物回収アセンブリは第２段階として構成され、それにより、
（ａ）前記第２段階の前記追加化学リアクタの個数は、前記第１段階の前記複数のリアクタの個数に等しく、
（ｂ）前記第２段階のそれぞれの追加化学リアクタは、少なくとも１つの入口および第２段階生成物出口を備え、
（ｃ）前記第１段階のそれぞれの化学リアクタのそれぞれの生成物出口は、前記第２段階の前記追加化学リアクタの１つの入口に結合され、それによって前記第２段階のそれぞれの追加化学リアクタは、前記第１段階のただ１つの化学リアクタと結合され、
（ｄ）前記第２段階のそれぞれの追加化学リアクタのそれぞれの第２段階生成物出口は、前記生成物回収アセンブリに結合され、前記第２段階のそれぞれの追加化学リアクタの前記生成物出口を、前記生成物受取装置と流体連通の状態で選択的に結合し、前記第１段階の前記バックアップリアクタの前記生成物出口を前記生成物受取装置から隔離する代わりに、前記第１段階のそれぞれの他の化学リアクタの前記生成物出口を、前記生成物受取装置と流体連通の状態で結合しながら、前記システムコントローラにより、前記生成物回収アセンブリは、前記第２段階の前記追加化学リアクタであって、その入口が前記第１段階の前記バックアップリアクタの前記出口に結合されている第２段階の追加化学リアクタの前記第２段階生成物出口を、前記生成物受取装置から隔離し、その一方で、前記第２段階のそれぞれの他の追加化学リアクタの前記第２段階生成物出口を前記生成物受取装置と流体連通の状態で結合することを特徴とする自動化連続的処理並列化学製品生産システム。
【請求項２３】
請求項１に記載の自動化連続的処理並列化学製品生産システムであって、前記複数のリアクタおよび前記反応物質供給装置は、第１段階として構成され、さらに、
（ａ）複数の追加化学リアクタであって、
（ｉ）前記複数の追加化学リアクタおよび前記生成物回収アセンブリは、第２段階として構成され、
（ｉｉ）前記第２段階の前記追加化学リアクタの個数は、前記第１段階の前記複数のリアクタの個数に等しく、
（ｉｉｉ）前記第２段階のそれぞれの追加化学リアクタは、少なくとも１つの入口および第２段階生成物出口を備え、それぞれの第２段階生成物出口は前記生成物回収アセンブリに結合され、前記第２段階のそれぞれの追加化学リアクタの前記生成物出口を、前記生成物受取装置と流体連通の状態で選択的に結合するような、
複数の追加化学リアクタと、
（ｂ）前記第１段階の前記複数の化学リアクタのそれぞれの出口および前記第２段階の前記複数の追加化学リアクタのそれぞれの入口と流体連通の状態で配置される弁システムであって、前記システムコントローラに制御可能なように接続され、前記システムコントローラの制御の下で前記第１段階の選択された化学リアクタの前記生成物出口を前記第２段階の選択された追加化学リアクタの前記入口に選択的に結合する弁システムとを備え、
前記第１段階の前記バックアップリアクタの前記生成物出口を、前記生成物受取装置から隔離する代わりに、前記第１段階のそれぞれの他の化学リアクタの前記生成物出口を前記生成物受取装置と流体連通の状態で結合する一方で、前記システムコントローラにより、前記生成物回収アセンブリは、前記第２段階の前記追加化学リアクタであって、その入口が前記第１段階の前記バックアップリアクタの前記出口に結合されている第２段階の追加化学リアクタの前記第２段階生成物出口を、前記生成物受取装置から隔離することを特徴とする自動化連続的処理並列化学製品生産システム。
【請求項２４】
請求項１に記載の自動化連続的処理並列化学製品生産システムであって、前記複数のリアクタ、前記反応物質供給装置、および前記生成物回収アセンブリは、第１段階として構成され、さらに、第２段階を含み、前記第２段階は、
（ａ）それぞれの前記第２段階の追加化学リアクタが、少なくとも、入口、および第２段階生成物出口を備える複数の追加化学リアクタと、
（ｂ）前記生成物受取装置と流体連通の状態で配置され、それぞれの追加化学リアクタの前記入口を前記生成物受取装置と流体連通の状態で選択的に結合し、それにより、それぞれの追加化学リアクタは前記生成物受取装置と並列に結合されるように構成され、前記システムコントローラに制御可能なように接続されている第２段階供給アセンブリであって、前記システムコントローラは、前記第２段階の前記追加リアクタの少なくとも１つをバックアップリアクタとして指定するとともに、前記第２段階供給アセンブリに、前記バックアップリアクタとして指定されている前記第２段階のそれぞれの追加化学リアクタの前記入口を前記生成物受取装置から隔離させることを特徴とする自動化連続的処理並列化学製品生産システム。
【請求項２５】
請求項１に記載の自動化連続的処理並列化学製品生産システムであって、
（ａ）前記複数のリアクタおよび前記反応物質供給装置は、第１段階として構成され、さらに、複数の追加化学リアクタを備え、前記複数の追加化学リアクタは少なくとも１つの追加段階として構成され、それにより、
（ｉ）それぞれの追加段階の前記追加化学リアクタの個数は、前記第１段階の前記複数のリアクタの個数に等しく、それぞれの追加化学リアクタは、少なくとも１つの入口および生成物出口を備え、
（ｉｉ）それぞれの追加段階のそれぞれの追加化学リアクタの前記入口は、前記第１段階の対応する化学リアクタの前記生成物出口および先行する追加段階の対応する化学リアクタの前記生成物出口のうちの一方と流体連通の状態で結合され、
（ｉｉｉ）それぞれの追加段階のそれぞれの追加化学リアクタの前記出口は、後続の段階の対応する化学リアクタの前記入口および前記生成物回収アセンブリのうちの一方と流体連通の状態で結合され、
（ｂ）前記システムコントローラは、それぞれの追加段階の対応する個数の追加化学リアクタをバックアップリアクタとして指定し、バックアップリアクタとして指定されたそれぞれの追加化学リアクタの前記生成物出口が前記生成物受取装置から隔離されるように確保し、バックアップリアクタとして指定されていないそれぞれの追加化学リアクタの前記生成物出口が前記生成物受取装置と流体連通の状態で結合されるようにすることを特徴とする自動化連続的処理並列化学製品生産システム。
【請求項２６】
少なくとも２つの反応物質を組み合わせることにより所望の化学製品を自動的に生産するための自動化連続的処理並列化学製品生産システムであって、該化学製品生産システムは以下の（ａ）、(ｂ)、(ｃ)及び(ｄ) を備えることを特徴とする化学製品生産システム、すなわち
（ａ）以下の(ｉ)、(ｉｉ)及び(ｉｉｉ)を備える第１段階、すなわち、
（ｉ）複数の化学リアクタであって、それぞれの化学リアクタが一定量の前記所望の化学製品を生産するように構成され、前記複数の化学リアクタのそれぞれの化学リアクタは少なくとも第１の反応物質入口、第２の反応物質入口、および生成物出口を備える、複数の化学リアクタと、
（ｉｉ）第１の反応物質供給容器と流体連通の状態で配置された第１の反応物質供給アセンブリであって、それぞれの化学リアクタの前記第１の反応物質入口を前記第１の反応物質供給容器と並列に流体連通の状態で結合するように構成された第１の反応物質供給アセンブリと、
（ｉｉｉ）第２の反応物質供給容器と流体連通の状態で配置された第２の反応物質供給アセンブリであって、それぞれの化学リアクタの前記第２の反応物質入口を前記第２の反応物質供給容器と並列に流体連通する状態で結合するように構成された第２の反応物質供給アセンブリと、
を備える第１段階と、
（ｂ）生成物受取装置と流体連通の状態で結合するように構成された生成物回収アセンブリと、
（ｃ）少なくとも１つの追加段階であって、それぞれの追加段階が複数の追加化学リアクタを備え、それによって、
（ｉ）それぞれの追加段階の前記追加化学リアクタの個数は、前記第１段階の前記複数のリアクタの個数に等しく、それぞれの追加化学リアクタは、少なくとも１つの入口および生成物出口を備え、
（ｉｉ）それぞれの追加段階のそれぞれの追加化学リアクタの前記入口は、前記第１段階の対応する化学リアクタの前記生成物出口または先行する追加段階の対応する化学リアクタの前記生成物出口のうちの一方と流体連通の状態で結合され、
（ｉｉｉ）それぞれの追加段階のそれぞれの追加化学リアクタの前記出口は、後続の追加段階の対応する化学リアクタの前記入口、または前記生成物回収アセンブリのうちの一方と流体連通の状態で結合され、前記生成物回収アセンブリはさらに最終追加段階のそれぞれの追加化学リアクタのそれぞれの生成物出口を生成物受取装置と流体連通の状態で選択的に結合するように構成されるような、
少なくとも１つの追加段階と、
（ｄ）前記第１の反応物質供給アセンブリ、前記第２の反応物質供給アセンブリ、および前記生成物回収アセンブリと制御可能なように結合されたシステムコントローラであって、該システムコントローラは、前記複数の化学リアクタによる前記所望の化学製品の生産を監視、制御し、前記第１段階の前記複数の化学リアクタのうちの少なくとも１つをバックアップリアクタとして指定し、及びそれぞれの追加段階の前記複数の追加化学リアクタのうちの少なくとも１つをバックアップリアクタとして指定し、前記システムコントローラにより、
（ｉ）前記第１の反応物質供給アセンブリが、前記バックアップリアクタの前記第１の反応物質入口を前記第１の反応物質供給容器から隔離し、その一方で、それぞれの他の化学リアクタの前記第１の反応物質入口を前記第１の反応物質供給容器と並列に流体連通の状態で結合し続け、
（ｉｉ）前記第２の反応物質供給アセンブリが、前記バックアップリアクタの前記第２の反応物質入口を前記第２の反応物質供給容器から隔離し、その一方で、それぞれの他の化学リアクタの前記第２の反応物質入口を前記第２の反応物質供給容器と並列に流体連通の状態で結合し続け、
（ｉｉｉ）前記生成物回収アセンブリがバックアップリアクタとして指定されている前記最終追加段階のそれぞれの追加化学リアクタの前記生成物出口を生成物受取装置から隔離し、その一方で、前記最終追加段階のそれぞれの他の追加化学リアクタの前記生成物出口を生成物受取装置と流体連通の状態で結合し続けるような、
システムコントローラと、
を備えることを特徴とする自動化連続的処理並列化学製品生産システム。
【請求項２７】
少なくとも２つの反応物質を組み合わせることにより所望の化学製品を自動的に生産するための自動化連続的処理並列化学製品生産システムであって、以下の（ａ）、(ｂ)、(ｃ)及び(ｄ)を備えることを特徴とする化学製品生産システム、すなわち
（ａ）以下の(ｉ)、(ｉｉ)及び(ｉｉｉ)を備える第１段階、すなわち、
（ｉ）複数の化学リアクタであって、それぞれの化学リアクタが一定量の前記所望の化学製品を生産するように構成され、前記複数の化学リアクタのそれぞれの化学リアクタは少なくとも第１の反応物質入口、第２の反応物質入口、および生成物出口を備える、
複数の化学リアクタと、
（ｉｉ）第１の反応物質供給アセンブリであって、第１の反応物質供給容器と流体連通の状態で配置され、それぞれの化学リアクタの前記第１の反応物質入口を前記第１の反応物質供給容器と並列に流体連通の状態で結合するように構成された第１の反応物質供給アセンブリと、
（ｉｉｉ）第２の反応物質供給アセンブリであって、第２の反応物質供給容器と流体連通の状態で配置され、それぞれの化学リアクタの前記第２の反応物質入口を前記第２の反応物質供給容器と並列に流体連通の状態で結合するように構成された第２の反応物質供給アセンブリと、
を備える第１段階と、
（ｂ）複数の追加化学リアクタを備える第２段階であって、
（ｉ）前記第１段階にある化学リアクタと少なくとも同じ数だけ前記第２段階に追加化学リアクタがあり、
（ｉｉ）前記第２段階のそれぞれの追加化学リアクタは、少なくとも、入口および第２段階生成物出口を備え、それぞれの追加化学リアクタの入口は前記第１段階で生産される生成物を受け取り、前記生成物を反応物質として使用して第２段階生成物を生産するように構成されるような第２段階と、
（ｃ）前記第２段階のそれぞれの化学リアクタの前記第２段階生成物出口を生成物受取装置と流体連通の状態で結合するように構成された生成物回収アセンブリと、
（ｄ）前記第１の反応物質供給アセンブリ、前記第２の反応物質供給アセンブリ、および前記生成物回収アセンブリと制御可能なように結合されたシステムコントローラであって、前記複数の化学リアクタによる前記所望の化学製品の生産を監視、制御し、前記第１段階の前記複数の化学リアクタのうちの少なくとも１つをバックアップリアクタとして指定し、及び前記第２の段階の前記複数の追加化学リアクタのうちの少なくとも１つをバックアップリアクタとして指定し、前記システムコントローラにより、
（ｉ）前記第１の反応物質供給アセンブリが前記バックアップリアクタの前記第１の反応物質入口を前記第１の反応物質供給容器から隔離し、その一方で、それぞれの他の化学リアクタの前記第１の反応物質入口を前記第１の反応物質供給容器と並列に流体連通の状態で結合し続け、
（ｉｉ）前記第２の反応物質供給アセンブリが前記バックアップリアクタの前記第２の反応物質入口を前記第２の反応物質供給容器から隔離し、その一方で、それぞれの他の化学リアクタの前記第２の反応物質入口を前記第２の反応物質供給容器と並列に流体連通の状態で結合し続け、
（ｉｉｉ）前記生成物回収アセンブリが前記第２段階バックアップリアクタの前記第２段階生成物出口を前記生成物受取装置から隔離し、その一方で、前記第２段階のそれぞれ他の追加化学リアクタの前記第２段階生成物出口を、前記生成物受取装置と流体連通の状態で結合し続けるようなシステムコントローラと、
を備えることを特徴とする自動化連続的処理並列化学製品生産システム。
【請求項２８】
請求項２７に記載の自動化連続的処理並列化学製品生産システムであって、
（ａ）前記第１段階は、さらに、前記第１段階のそれぞれの化学リアクタの前記生成物出口を前記第２段階と流体連通の状態で結合するよう構成された第１段階生成物回収アセンブリを備え、前記第１段階生成物回収アセンブリは生成物流体流路および廃液流体流路を備え、前記第１段階生成物回収アセンブリは前記システムコントローラに制御可能なように結合され、それによって、前記システムコントローラにより前記第１段階生成物回収アセンブリが前記第１段階バックアップリアクタの前記生成物出口を前記廃液流体流路に結合し、その一方で、前記第１段階のそれぞれの他の化学リアクタの前記生成物出口を前記生成物流体流路と流体連通の状態で結合し、それによって、前記第１段階で生産された前記生成物は、前記第２段階に単一の生成物の流れとして供給され、
（ｂ）前記第２段階は、さらに、前記第１段階生成物回収アセンブリと流体連通の状態で配置され、前記第２段階のそれぞれの追加化学リアクタの前記入口を前記第１段階生成物回収アセンブリと並列に流体連通の状態で結合するように構成された第２段階反応物質供給アセンブリを含み、前記第２段階反応物質供給アセンブリは前記システムコントローラに制御可能なように結合され、それによって、前記システムコントローラにより前記第２段階反応物質供給アセンブリが、前記第２段階バックアップリアクタの前記入口を前記第１段階生成物回収アセンブリの前記生成物流体流路から隔離し、その一方で、前記第２段階のそれぞれの他の追加化学リアクタの前記入口を前記第１段階生成物回収アセンブリの前記生成物流体流路と流体連通の状態で結合すること、
を特徴とする自動化連続的処理並列化学製品生産システム。
【請求項２９】
請求項２７に記載の自動化連続的処理並列化学製品生産システムであって、前記第１段階のそれぞれの化学リアクタの前記生成物出口は、前記第２段階の異なる追加化学リアクタの前記入口に結合されることを特徴とする自動化連続的処理並列化学製品生産システム。
【請求項３０】
請求項２７に記載の自動化連続的処理並列化学製品生産システムであって、さらに、前記第１段階の前記複数の化学リアクタのそれぞれの出口、および前記第２段階の前記複数の追加化学リアクタのそれぞれの入口と流体連通の状態で配置されている弁システムを備え、前記弁システムは前記システムコントローラに制御可能なように結合され、それによって、前記システムコントローラにより、
（ａ）前記第１段階の前記指定されたバックアップリアクタの前記生成物出口が、前記第２段階の前記指定されたバックアップリアクタの前記入口と流体連通の状態で結合され、
（ｂ）前記第１段階の前記バックアップリアクタとして指定されていない前記第１段階のそれぞれの化学リアクタの前記生成物出口が、前記第２段階の前記追加化学リアクタのうちの選択された異なる１つの前記入口と流体連通の状態で結合され、前記追加化学リアクタの前記異なる１つの化学リアクタは、前記第２段階の前記バックアップリアクタとして指定されないことを特徴とする自動化連続的処理並列化学製品生産システム。
【請求項３１】
請求項２７に記載の自動化連続的処理並列化学製品生産システムであって、前記第１段階の前記複数のリアクタは、実質的に同心円状配向で配列され、前記複数の化学リアクタへの反応物の分配を強化することを特徴とする自動化連続的処理並列化学製品生産システム。
【請求項３２】
請求項２７に記載の自動化連続的処理並列化学製品生産システムであって、さらに、複数のセンサを備え、それぞれのセンサは前記システムコントローラと論理的に結合され、それぞれセンサは前記第１段階のそれぞれの化学リアクタおよび前記第２段階のそれぞれの追加化学リアクタのうちの少なくとも１つで生産される生成物の品質の指標を供給するように構成され、前記システムコントローラは所定の品質よりも低い品質を有する生成物を生産するそれぞれのリアクタをバックアップリアクタとして指定するように構成されることを特徴とする自動化連続的処理並列化学製品生産システム。
【手続補正２】
【補正対象書類名】明細書
【補正対象項目名】０２２６
【補正方法】変更
【補正の内容】
【０２２６】
本発明は、本発明を実施する好ましい形態およびその修正形態に関して説明されているが、当業者であれば、請求項の範囲内で本発明に他の多くの修正を加えることができることを理解するであろう。したがって、本発明の範囲は、いかなる点でも上の説明により限定されることを意図していないが、その代わりに請求項を参照することで全体が定められる。
以下、本明細書に記載の発明につき列記する。
１）  少なくとも２つの反応物質を組み合わせることにより所望の化学製品を自動的に生産するための自動化連続的処理並列化学製品生産システムであって、以下の(ａ)、(ｂ)、(ｃ)および（ｄ）を備えることを特徴とする自動化連続的処理並列化学製品生産システム、すなわち、
（ａ）それぞれ一定量の前記所望の化学製品を生産するように構成された複数の化学リアクタであって、それぞれの化学リアクタは少なくとも第１の反応物質入口、第２の反応物質入口、第１の反応物質入口および第２の反応物質入口と流体連通の状態で結合した反応体積、ならびに前記反応体積と流体連通の状態で結合した生成物出口を備える、複数の化学リアクタと、
（ｂ）反応物供給装置であって、以下の（ｉ）及び（ｉｉ）、すなわち、
（ｉ）第１の反応物質供給容器と流体連通の状態に置かれ、それぞれの化学リアクタの前記第１の反応物質入口を前記第１の反応物質供給容器と流体連通の状態で選択的に結合し、前記複数の化学リアクタのそれぞれの第１の反応物質入口が前記第１の反応物質供給容器と並列に結合されるように構成された第１の反応物質供給アセンブリと、
（ｉｉ）第２の反応物供給容器と流体連通の状態に置かれ、それぞれの化学リアクタの前記第２の反応物質入口を前記第２の反応物質供給容器と流体連通の状態で選択的に結合し、前記複数の化学リアクタのそれぞれの第２の反応物質入口が前記第２の反応物質供給容器と並列に結合されるように構成された第２の反応物質供給アセンブリと、
を備える反応物供給装置と、
（ｃ）生成物受取装置と流体連通の状態に置かれ、それぞれの化学リアクタの前記生成物出口を流体連通の状態で前記生成物受取装置と選択的に結合するように構成された生成物回収アセンブリと、
（ｄ）前記第１の反応物質供給アセンブリ、前記第２の反応物質供給アセンブリおよび前記生成物回収アセンブリとを制御を可能なように結合したシステムコントローラであって、該システムコントローラは前記複数の化学リアクタによる前記所望の化学製品の生産を監視、制御し、前記複数の化学リアクタのうちの少なくとも１つをバックアップリアクタとして指定することにより、該システムコントローラが、以下の（ｉ）、（ｉｉ）および（ｉｉｉ）、すなわち、
（ｉ）前記第１の反応物質供給アセンブリが、前記バックアップリアクタの前記第１の反応物質入口を前記第１の反応物質供給容器から隔離し、その一方で、それぞれの他の化学リアクタの前記第１の反応物質入口を前記第１の反応物質供給容器と並列に、流体連通の状態で結合し、もって、前記システムが自動的に所望の化学製品を生産している間、バックアップリアクタとして指定されていないそれぞれのリアクタの第１の反応物質入口が、前記第１の反応物質供給アセンブリと流体連通の状態で結合し、もって、第１の反応流体が、バックアップリアクタとして指定されていないそれぞれのリアクタに同時に供給され、
（ｉｉ）前記第２の反応物質供給アセンブリが、前記バックアップリアクタの前記第２の反応物質入口を前記第２の反応物質供給容器から隔離し、その一方で、それぞれの他の化学リアクタの前記第２の反応物質入口を前記第２の反応物質供給容器と並列に、流体連通の状態で結合し、もって前記システムが自動的に所望の化学製品を生産している間、バックアップリアクタとして指定されていないそれぞれのリアクタの第２の反応物質入口が、前記第２の反応物質供給アセンブリと流体連通の状態で結合し、もって、第２の反応流体が、バックアップリアクタとして指定されていないそれぞれのリアクタに同時に供給され、
（ｉｉｉ）前記生成物回収アセンブリが、前記バックアップリアクタの前記生成物出口を前記生成物受取装置から隔離し、その一方で、それぞれの他の化学リアクタの前記生成物出口を前記生成物受取装置と流体連通の状態で結合するようにする、
システムコントローラと、
を備えることを特徴とする自動化連続的処理並列化学製品生産システム。
２）  前記１）に記載の自動化連続的処理並列化学製品生産システムであって、それぞれの化学リアクタは、マイクロリアクタを備えることを特徴とする自動化連続的処理並列化学製品生産システム。
３）  前記１）に記載の自動化連続的処理並列化学製品生産システムであって、それぞれの化学リアクタは、実質的に同じ処理状態をもたらすように構成されることを特徴とする自動化連続的処理並列化学製品生産システム。
４）  前記１）に記載の自動化連続的処理並列化学製品生産システムであって、それぞれの化学リアクタは、前記所望の化学製品を生産するために自動化並列化学製品生産システムが使用される前に、前記所望の化学製品を生産するための好ましい処理条件を決定するために使用される試験リアクタと実質的に同じであることを特徴とする自動化連続的処理並列化学製品生産システム。
５）  前記１）に記載の自動化連続的処理並列化学製品生産システムであって、前記システムコントローラは、所定の期間の経過後、前記複数の化学リアクタのうちの異なる１つを前記バックアップリアクタとして指定し、前記バックアップリアクタとしてすでに指定されている前記化学リアクタは、その後、前記第１の反応物質供給容器、前記第２の反応物質供給容器、および前記生成物受取装置と流体連通の状態で結合され、その一方で、新しくバックアップリアクタとして指定された前記化学リアクタは、前記第１の反応物質供給容器、前記第２の反応物質供給容器、および前記生成物受取装置から隔離され、それによって、前記新しく指定されたバックアップリアクタはメンテナンス作業に使用できるようになり、長期間にわたって前記所望の生成物の連続的生産が促進されることを特徴とする自動化連続的処理並列化学製品生産システム。
６）  前記１）に記載の自動化連続的処理並列化学製品生産システムであって、前記生成物回収アセンブリは、それぞれの化学リアクタ用のセンサを備え、それぞれのセンサは前記化学リアクタの前記生成物出口と前記生成物受取装置との間に配置され、それにより、前記化学リアクタからの前記化学製品の品質の指標が前記システムコントローラに供給されることを特徴とする自動化連続的処理並列化学製品生産システム。
７）  前記６）に記載の自動化連続的処理並列化学製品生産システムであって、前記システムコントローラは、前記センサのうちの１つが、それに対応する化学リアクタにより生産される前記化学製品の品質が所定の標準から逸脱していることを示した場合に、前記複数の化学リアクタのうちの異なる１つを前記バックアップリアクタとして指定するようにプログラムされ、前記バックアップリアクタとしてすでに指定されていた前記化学リアクタは、その後、前記第１の反応物質供給容器、前記第２の反応物質供給容器、および前記生成物受取装置と結合され、その一方で、前記新しく指定されたバックアップリアクタは、前記第１の反応物質供給容器、前記第２の反応物質供給容器、および前記生成物受取装置から隔離され、それによって、前記新しく指定されたバックアップリアクタはメンテナンス作業に使用できるようになり、長期間にわたって前記所望の生成物の連続的生産が促進されることを特徴とする自動化連続的処理並列化学製品生産システム。
８）  前記１）に記載の自動化連続的処理並列化学製品生産システムであって、
（ａ）前記第１の反応物質供給アセンブリおよび前記第２の反応物質供給アセンブリは、それぞれ、第１の溶媒供給容器および第２の溶媒供給容器と流体連通の状態で選択的に結合されるように構成され、これにより、それぞれの化学リアクタ毎に、
（ｉ）前記第１の反応物質供給アセンブリは、前記第１の反応物質入口を前記第１の反応物質供給容器および前記第１の溶媒供給容器のうちの一方と流体連通の状態で選択的に結合することができ、
（ｉｉ）前記第２の反応物質供給アセンブリは、前記第２の反応物質入口を前記第２の反応物質供給容器および前記第２の溶媒供給容器のうちの一方と流体連通の状態で選択的に結合することができ、
（ｂ）前記生成物回収アセンブリは、前記廃液受取装置と流体連通の状態で選択的に結合されるように構成され、これにより、それぞれの化学リアクタ毎に、前記生成物回収アセンブリは、前記生成物出口を前記生成物受取装置および前記廃液受取装置のうちの一方と流体連通の状態で選択的に結合することができ、それによって、前記バックアップリアクタを溶媒で洗浄することができることを特徴とする自動化連続的処理並列化学製品生産システム。
９）  前記１）に記載の自動化連続的処理並列化学製品生産システムであって、さらに、それぞれの化学リアクタおよび伝熱媒体供給容器と流体連通の状態で結合された共通熱交換アセンブリを備え、前記共通熱交換アセンブリは実質的に等しい熱条件をそれぞれの化学リアクタ内にもたらすことを特徴とする自動化連続的処理並列化学製品生産システム。
１０）  前記９）に記載の自動化連続的処理並列化学製品生産システムであって、前記複数の化学リアクタは、一般に同心円状構成で配列され、前記共通熱交換アセンブリは、前記複数の化学リアクタから外向きに配された第１の環状流体マニホールドおよび前記複数の化学リアクタから内向きに配置された第２の環状流体マニホールドを備え、それぞれの化学リアクタは、前記第１および第２の環状流体マニホールドと流体連通の状態で結合されることを特徴とする自動化連続的処理並列化学製品生産システム。
１１）  前記１０）に記載の自動化連続的処理並列化学製品生産システムであって、前記第１の流体ラインは、それぞれの化学リアクタに新鮮な伝熱媒体を供給し、前記第２の流体ラインは、それぞれの化学リアクタから使用済み伝熱媒体を回収することを特徴とする自動化連続的処理並列化学製品生産システム。
１２）  前記１）に記載の自動化連続的処理並列化学製品生産システムであって、前記複数の化学リアクタは、一般的同心円状構成で配列されることを特徴とする自動化連続的処理並列化学製品生産システム。
１３）  前記１２）に記載の自動化連続的処理並列化学製品生産システムであって、
（ａ）前記第１の反応物質供給アセンブリは、
（ｉ）前記第１の反応物質供給容器と流体連通の状態で結合するように構成された第１の反応物質分配装置と、
（ｉｉ）前記第１の反応物質分配装置を前記複数の化学リアクタのうちのそれぞれの第１の反応物質入口に選択的に結合するように構成され、それぞれの第１の反応物質流体ラインが、実質的に等しい第１の反応流体の流量を供給するように構成されている複数の第１の反応物質流体ラインとを備え、
（ｂ）前記第２の反応物質供給アセンブリは、
（ｉ）前記第２の反応物質供給容器と流体連通の状態で結合するように構成された第２の反応物質分配装置と、
（ｉｉ）前記第２の反応物質分配装置を前記複数の化学リアクタのうちのそれぞれの第２の反応物質入口に選択的に結合するように構成され、それぞれの第２の反応物質流体ラインが実質的に等しい第２の反応物質流体の流量を供給するように構成されている複数の第２の反応物質流体ラインとを備えることを特徴とする自動化連続的処理並列化学製品生産システム。
１４）  前記１３）に記載の自動化連続的処理並列化学製品生産システムであって、
（ａ）それぞれの第１の反応物質流体ラインが弁を備え、該弁はそれぞれのリアクタの前記第１の反応物質入口を、前記第１の反応物質供給容器および前記溶媒供給容器のうちの一方と流体連通の状態で選択的に結合するように構成され、それぞれの弁が前記システムコントローラと制御可能なように結合されており、
（ｂ）それぞれの第２の反応物質流体ラインが弁を備え、該弁はそれぞれのリアクタの前記第２の反応物質入口を前記第２の反応物質供給容器および前記溶媒供給容器のうちの一方と流体連通の状態で選択的に結合するように構成され、それぞれの弁が前記システムコントローラと制御可能なように結合されていることを特徴とする自動化連続的処理並列化学製品生産システム。
１５）  前記１２）に記載の自動化連続的処理並列化学製品生産システムであって、前記生成物回収アセンブリは、
（ａ）前記生成物受取装置と流体連通の状態で結合するように構成された生成物回収装置と、
（ｂ）前記生成物回収装置を前記複数の化学リアクタのそれぞれの生成物出口に選択的に結合するように構成され、それぞれの生成物流体ラインが実質的に等しい流量を供給するように構成されている複数の生成物流体ラインと、
を備えることを特徴とする自動化連続的処理並列化学製品生産システム。
１６）  前記１５）に記載の自動化連続的処理並列化学製品生産システムであって、それぞれの生成物流体ラインは弁を備え、該弁はそれぞれのリアクタの前記生成物出口を前記生成物受取装置および前記廃液受取装置のうちの一方と流体連通の状態で選択的に結合するように構成され、それぞれの弁は前記システムコントローラと制御可能なように結合されていることを特徴とする自動化連続的処理並列化学製品生産システム。
１７）  前記１）に記載の自動化連続的処理並列化学製品生産システムであって、さらに、それぞれのリアクタ出口から放出される生成物を熱的に調整するように構成された生成物熱交換アセンブリを備えることを特徴とする自動化連続的処理並列化学製品生産システム。
１８）  前記１）に記載の自動化連続的処理並列化学製品生産システムであって、前記生成物回収アセンブリは、それぞれのリアクタ出口から放出される生成物を熱的に調整するように構成された熱的調整構造物を備えることを特徴とする自動化連続的処理並列化学製品生産システム。
１９）  前記１）に記載の自動化連続的処理並列化学製品生産システムであって、それぞれの化学リアクタは、層状に積み重ねた複数の単純プレートを備え、それぞれのリアクタは、前記第１の反応物質入口に結合された第１の入口経路、前記第２の反応物質入口に結合された第２の入口経路を備え、それぞれの入口経路は前記リアクタ内で合体して、少なくとも２つの化学反応物質が反応して化学製品を生成する少なくとも１つの反応室を形成し、少なくとも１つの出口経路は前記少なくとも１つの反応室を前記生成物出口と流体連通の状態で結合し、それぞれの第１の反応物質入口、第１の反応物質経路、第２の反応物質入口、第２の反応物質経路、反応室、および生成物出口は、少なくとも１つの単一プレートを貫通する開口部を備え、該開口部は隣接する単一プレートを貫通する開口部の少なくとも一部と揃えられていることを特徴とする自動化連続的処理並列化学製品生産システム。
２０）  前記１）に記載の自動化連続的処理並列化学製品生産システムであって、それぞれの化学リアクタは、層状に積み重ねられた複数の単純プレートを備え、それぞれの単純プレートはそこを貫通して延びる少なくとも１つの開口部を持ち、それぞれの単純プレート内の開口部は隣接する単純プレート内の少なくとも１つの他の開口部とオーバーラップし、前記単純プレートは、そのように層状に積み重ねられたときに、
（ａ）前記第１および第２の反応物質用の流体経路と、
（ｂ）前記所望の化学製品用の流体経路と、
（ｃ）伝熱媒体用の流体経路と、
（ｄ）前記伝熱媒体用の前記流体経路と流体連通の状態で結合される熱交換機と、
（ｅ）前記積み重ねられたプレート・リアクタ内の流体の流れを操作し、所望の結果を得るための手段と、
を構成することを特徴とする自動化連続的処理並列化学製品生産システム。
２１）  前記１）に記載の自動化連続的処理並列化学製品生産システムであって、それぞれの化学リアクタは、層状に積み重ねられた複数の単純プレートを備え、それぞれの単純プレートはそこを貫通して延びる少なくとも１つの開口部を持ち、それぞれの単純プレート内の開口部は隣接する単純プレート内の少なくとも１つの他の開口部とオーバーラップし、それによって、
（ａ）前記第１および第２の反応物質用の流体経路と、
（ｂ）前記第１および第２の反応物質用のそれぞれの流体経路と流体連通の状態にある処理体積と、
（ｃ）前記処理体積と流体連通の状態にある前記所望の化学製品用の流体経路と、
（ｄ）伝熱媒体用の流体経路と、
（ｅ）前記伝熱媒体用の前記流体経路と流体連通の状態にあり、前記第１の反応物質、前記第２の反応物質、前記処理体積、および前記所望の化学製品用の流体経路のうちの少なくとも１つの温度を加減できるように配置された熱交換機と、
（ｆ）以下の（ｉ）及び（ｉｉ）、すなわち、
（ｉ）単位時間当たりの前記積み重ねプレート・リアクタにより生産される前記所望の化学製品の量と、
（ｉｉ）前記積み重ねプレート・リアクタにより生産される前記所望の化学製品の品質のうちの少なくとも１つを高める手段と、
を形成することを特徴とする自動化連続的処理並列化学製品生産システム。
２２）  前記１）に記載の自動化連続的処理並列化学製品生産システムであって、前記複数のリアクタおよび前記反応物質供給装置は、第１段階として構成され、さらに、複数の追加化学リアクタを備え、前記複数の追加化学リアクタおよび前記生成物回収アセンブリは第２段階として構成され、それにより、
（ａ）前記第２段階の前記追加化学リアクタの個数は、前記第１段階の前記複数のリアクタの個数に等しく、
（ｂ）前記第２段階のそれぞれの追加化学リアクタは、少なくとも１つの入口および第２段階生成物出口を備え、
（ｃ）前記第１段階のそれぞれの化学リアクタのそれぞれの生成物出口は、前記第２段階の前記追加化学リアクタの１つの入口に結合され、それによって前記第２段階のそれぞれの追加化学リアクタは、前記第１段階のただ１つの化学リアクタと結合され、
（ｄ）前記第２段階のそれぞれの追加化学リアクタのそれぞれの第２段階生成物出口は、前記生成物回収アセンブリに結合され、前記第２段階のそれぞれの追加化学リアクタの前記生成物出口を、前記生成物受取装置と流体連通の状態で選択的に結合し、前記第１段階の前記バックアップリアクタの前記生成物出口を前記生成物受取装置から隔離する代わりに、前記第１段階のそれぞれの他の化学リアクタの前記生成物出口を、前記生成物受取装置と流体連通の状態で結合しながら、前記システムコントローラにより、前記生成物回収アセンブリは、前記第２段階の前記追加化学リアクタであって、その入口が前記第１段階の前記バックアップリアクタの前記出口に結合されている第２段階の追加化学リアクタの前記第２段階生成物出口を、前記生成物受取装置から隔離し、その一方で、前記第２段階のそれぞれの他の追加化学リアクタの前記第２段階生成物出口を前記生成物受取装置と流体連通の状態で結合することを特徴とする自動化連続的処理並列化学製品生産システム。
２３）  前記１）に記載の自動化連続的処理並列化学製品生産システムであって、前記複数のリアクタおよび前記反応物質供給装置は、第１段階として構成され、さらに、
（ａ）複数の追加化学リアクタであって、
（ｉ）前記複数の追加化学リアクタおよび前記生成物回収アセンブリは、第２段階として構成され、
（ｉｉ）前記第２段階の前記追加化学リアクタの個数は、前記第１段階の前記複数のリアクタの個数に等しく、
（ｉｉｉ）前記第２段階のそれぞれの追加化学リアクタは、少なくとも１つの入口および第２段階生成物出口を備え、それぞれの第２段階生成物出口は前記生成物回収アセンブリに結合され、前記第２段階のそれぞれの追加化学リアクタの前記生成物出口を、前記生成物受取装置と流体連通の状態で選択的に結合するような、
複数の追加化学リアクタと、
（ｂ）前記第１段階の前記複数の化学リアクタのそれぞれの出口および前記第２段階の前記複数の追加化学リアクタのそれぞれの入口と流体連通の状態で配置される弁システムであって、前記システムコントローラに制御可能なように接続され、前記システムコントローラの制御の下で前記第１段階の選択された化学リアクタの前記生成物出口を前記第２段階の選択された追加化学リアクタの前記入口に選択的に結合する弁システムとを備え、
前記第１段階の前記バックアップリアクタの前記生成物出口を、前記生成物受取装置から隔離する代わりに、前記第１段階のそれぞれの他の化学リアクタの前記生成物出口を前記生成物受取装置と流体連通の状態で結合する一方で、前記システムコントローラにより、前記生成物回収アセンブリは、前記第２段階の前記追加化学リアクタであって、その入口が前記第１段階の前記バックアップリアクタの前記出口に結合されている第２段階の追加化学リアクタの前記第２段階生成物出口を、前記生成物受取装置から隔離することを特徴とする自動化連続的処理並列化学製品生産システム。
２４）  前記１）に記載の自動化連続的処理並列化学製品生産システムであって、前記複数のリアクタ、前記反応物質供給装置、および前記生成物回収アセンブリは、第１段階として構成され、さらに、第２段階を含み、前記第２段階は、
（ａ）それぞれの前記第２段階の追加化学リアクタが、少なくとも、入口、および第２段階生成物出口を備える複数の追加化学リアクタと、
（ｂ）前記生成物受取装置と流体連通の状態で配置され、それぞれの追加化学リアクタの前記入口を前記生成物受取装置と流体連通の状態で選択的に結合し、それにより、それぞれの追加化学リアクタは前記生成物受取装置と並列に結合されるように構成され、前記システムコントローラに制御可能なように接続されている第２段階供給アセンブリであって、前記システムコントローラは、前記第２段階の前記追加リアクタの少なくとも１つをバックアップリアクタとして指定するとともに、前記第２段階供給アセンブリに、前記バックアップリアクタとして指定されている前記第２段階のそれぞれの追加化学リアクタの前記入口を前記生成物受取装置から隔離させることを特徴とする自動化連続的処理並列化学製品生産システム。
２５）  前記１）に記載の自動化連続的処理並列化学製品生産システムであって、
（ａ）前記複数のリアクタおよび前記反応物質供給装置は、第１段階として構成され、さらに、複数の追加化学リアクタを備え、前記複数の追加化学リアクタは少なくとも１つの追加段階として構成され、それにより、
（ｉ）それぞれの追加段階の前記追加化学リアクタの個数は、前記第１段階の前記複数のリアクタの個数に等しく、それぞれの追加化学リアクタは、少なくとも１つの入口および生成物出口を備え、
（ｉｉ）それぞれの追加段階のそれぞれの追加化学リアクタの前記入口は、前記第１段階の対応する化学リアクタの前記生成物出口および先行する追加段階の対応する化学リアクタの前記生成物出口のうちの一方と流体連通の状態で結合され、
（ｉｉｉ）それぞれの追加段階のそれぞれの追加化学リアクタの前記出口は、後続の段階の対応する化学リアクタの前記入口および前記生成物回収アセンブリのうちの一方と流体連通の状態で結合され、
（ｂ）前記システムコントローラは、それぞれの追加段階の対応する個数の追加化学リアクタをバックアップリアクタとして指定し、バックアップリアクタとして指定されたそれぞれの追加化学リアクタの前記生成物出口が前記生成物受取装置から隔離されるように確保し、バックアップリアクタとして指定されていないそれぞれの追加化学リアクタの前記生成物出口が前記生成物受取装置と流体連通の状態で結合されるようにすることを特徴とする自動化連続的処理並列化学製品生産システム。
２６）  少なくとも２つの反応物質を組み合わせることにより所望の化学製品を生産するための同心円状並列化学製品生産システムであって、以下の（ａ）および（ｂ）を備える同心円状並列化学製品生産システム、すなわち、
(ａ)  以下の（ｉ）、（ｉｉ）および（ｉｉｉ）を含む第１段階、すなわち、
（ｉ）複数の化学リアクタであって、それぞれ一定量の前記所望の化学製品を生産するように構成され、それぞれ少なくとも第１の反応物質入口、第２の反応物質入口、前記第１の反応物質入口および第２の反応物質入口と流体連通した状態で結合する反応体積、並びに生成物出口を備え、一般的に同心円状構成で配列され、それぞれのリアクタが内側末端および外側末端を備え、それぞれの内側末端はそれぞれの外側末端よりも前記複数の化学リアクタによって定められる円の中心に相対的により近接して配置され、それぞれの化学リアクタの前記第１の反応物質入口および前記第２の反応物質入口はそのリアクタの内側末端に隣接して配置されている、
複数の化学リアクタと、
（ｉｉ）反応物供給装置であって、
（１）第１の反応物質供給容器と流体連通の状態で配置され、それぞれの化学リアクタの前記第１の反応物質入口を前記第１の反応物質供給容器と並列に流体連通の状態で結合するように構成された第１の反応物質供給アセンブリと、
（２）第２の反応物質供給容器と流体連通の状態で配置され、それぞれの化学リアクタの前記第２の反応物質入口を前記第２の反応物質供給容器と並列に流体連通の状態で結合するように構成された第２の反応物質供給アセンブリと、
を含む反応物質供給装置と、
（ｉｉｉ）生成物受取装置と流体連通の状態で配置されるように、また、それぞれの化学リアクタの前記生成物出口を前記生成物受取装置と流体連通の状態で結合するように構成された生成物回収アセンブリと、
を含む第１段階と、
（ｂ）以下の（ｉ）および（ｉｉ）を含む第２段階、すなわち、
（ｉ）複数の追加化学リアクタであって、第２段階のそれぞれの追加化学リアクタが少なくとも入口と第２段階の生成物出口を備える複数の追加化学リアクタと、
（ｉｉ）第２段階供給アセンブリであって、前記生成物受取装置と流体連通の状態に配置され、それぞれの追加化学リアクタが前記生成物受取装置と流体連通の状態で選択的に結合され、もってそれぞれの追加化学リアクタが前記生成物受取装置と並列に結合され、前記第１段階で回収された生成物を第２段階の反応物質として導入できるように構成された第２段階供給アセンブリと、
を含む第２段階と、
を備えることを特徴とする同心円状並列化学製品生産システム。
２７）  前記２６）に記載の同心円状並列化学製品生産システムであって、
（ａ）前記第１の反応物質供給アセンブリは、
（ｉ）前記第１の反応物質供給容器と流体連通の状態で結合するように構成された第１の反応物質分配装置と、
（ｉｉ）前記第１の反応物質分配装置を前記複数の化学リアクタのそれぞれの第１の反応物質入口に選択的に結合するように構成された複数の第１の反応物質流体ラインであって、それぞれの第１の反応物質流体ラインが実質的に等しい流量を供給するように構成され、それぞれの第１の反応物質流体ラインが第１の反応物質流体ライン弁を含み、該弁が前記第１の反応物質供給容器および第１の溶媒供給容器のうちの一方と流体連通の状態で、それぞれのリアクタの前記第１の反応物質入口を選択的に結合するように構成された複数の第１の反応物質流体ラインとを備え、
（ｂ）前記第２の反応物質供給アセンブリは、
（ｉ）第２の反応物質供給容器と流体連通の状態で結合するように構成された第２の反応物質分配装置と、
（ｉｉ）前記第２の反応物質分配装置を前記複数の化学リアクタのそれぞれの第２の反応物質入口に選択的に結合するように構成された複数の第２の反応物質流体ラインであって、それぞれの第２の反応物質流体ラインは実質的に等しい流量を供給するように構成され、それぞれの第２の反応物質流体ラインは前記第２の反応物質の供給装置および前記第２の溶媒供給装置のうちの一方と流体連通の状態でそれぞれのリアクタの前記第２の反応物質入口を選択的に結合するように構成された第２の反応物質流体ライン弁を含む複数の第２の反応物質流体ラインとを備え、
（ｃ）前記生成物回収アセンブリは、
（ｉ）前記生成物受取装置と流体連通の状態で結合するように構成された生成物回収装置と、
（ｉｉ）前記生成物回収装置を前記複数の化学リアクタのそれぞれの生成物出口に選択的に結合するように構成された複数の生成物流体ラインであって、それぞれの生成物流体ラインは実質的に等しい流量を供給するように構成され、それぞれの生成物流体ラインはそれぞれ前記生成物受取装置および廃液受取装置のうちの一方と流体連通の状態でそれぞれのリアクタの前記生成物出口を選択的に結合するように構成された生成物流体ライン弁を含み、それによって、それぞれの化学リアクタを他の化学リアクタから選択的に隔離し、溶媒で洗浄することができる複数の生成物流体ラインとを備えること、
を特徴とする同心円状並列化学製品生産システム。
２８）  前記２６）に記載の同心円状並列化学製品生産システムであって、さらに、前記第１段階および第２段階の少なくとも一方のそれぞれの化学リアクタおよび伝熱媒体供給容器と流体連通の状態で結合された共通熱交換機アセンブリを備え、前記共通熱交換アセンブリは実質的に等しい熱条件を、前記第１段階および第２段階の少なくとも一方のそれぞれの化学リアクタ内にもたらすことを特徴とする同心円状並列化学製品生産システム。
２９）  前記２６）に記載の同心円状並列化学製品生産システムであって、前記共通熱交換アセンブリは、第１の流体ラインおよび第２の流体ラインを備え、前記第１および第２の流体ラインは同心リングとして構成され、前記第１段階の複数の化学リアクタは、前記同心リングの間に配置されることを特徴とする同心円状並列化学製品生産システム。
３０）  前記２６）に記載の同心円状並列化学製品生産システムであって、それぞれの化学リアクタは、マイクロリアクタを備えることを特徴とする同心円状並列化学製品生産システム。
３１）  前記２６）に記載の同心円状並列化学製品生産システムであって、前記第１段階および第２段階の少なくとも一方のそれぞれの化学リアクタは、実質的に同じ処理状態をもたらすように構成されることを特徴とする同心円状並列化学製品生産システム。
３２）  さらに、前記第１の反応物質供給アセンブリ、前記第２の反応物質供給アセンブリ、および前記生成物回収アセンブリと制御可能なように結合されたシステムコントローラを備える前記２６）に記載の同心円状並列化学製品生産システムであって、該システムコントローラは、前記第１段階の複数の化学リアクタのうちの少なくとも１つをバックアップリアクタとして指定することを含め前記複数の化学リアクタによる前記所望の化学製品の生産を監視し、制御するようプログラムされており、これにより、
（ａ）前記第１の反応物質供給アセンブリが前記バックアップリアクタの前記第１の反応物質入口を前記第１の反応物質供給容器から隔離し、その一方で、それぞれの他の化学リアクタの前記第１の反応物質入口を前記第１の反応物質供給容器と流体連通の状態で結合し、
（ｂ）前記第２の反応物質供給アセンブリが、前記バックアップリアクタの前記第２の反応物質入口を前記第２の反応物質供給容器から隔離し、その一方で、それぞれの他の化学リアクタの前記第２の反応物質入口を前記第２の反応物質供給容器と流体連通の状態で結合し、
（ｃ）前記生成物回収アセンブリは、前記バックアップリアクタの前記生成物出口を前記生成物受取装置から隔離し、その一方で、それぞれの他の化学リアクタの前記生成物出口を、前記生成物受取装置と流体連通の状態で結合することを特徴とする同心円状並列化学製品生産システム。
３３）  前記３２）に記載の同心円状並列化学製品生産システムであって、前記システムコントローラは、所定の期間の経過後、前記第１段階の複数の化学リアクタのうちの異なる１つを前記バックアップリアクタとして指定するようにプログラムされ、すでに指定されているバックアップリアクタは前記第１の反応物質供給容器、前記第２の反応物質供給容器、および前記生成物受取装置と流体連通の状態で結合され、その一方で、新しく指定されたバックアップリアクタは、前記第１の反応物質供給容器、前記第２の反応物質供給容器、および前記生成物受取装置から隔離され、それによって、前記新しく指定されたバックアップリアクタはメンテナンス作業に使用できるようになり、長期間にわたって前記所望の生成物の連続的生産が促進されることを特徴とする同心円状並列化学製品生産システム。
３４）  前記３２）に記載の同心円状並列化学製品生産システムであって、
（ａ）前記生成物回収アセンブリは、前記第１段階のそれぞれの化学リアクタ用のセンサを備え、それぞれのセンサは前記化学リアクタの前記生成物出口と前記生成物受取装置との間に配置され、それぞれのセンサは前記システムコントローラに結合され、それにより、前記化学リアクタからの前記化学製品の品質の指標が前記システムコントローラに供給され、
（ｂ）前記システムコントローラは、対応する化学リアクタにより生産される前記化学製品の品質が所定の標準から実質的に逸脱していることを前記センサのうちの１つが示した場合に、前記複数の化学リアクタのうちの異なる１つを前記バックアップリアクタとして指定するようにプログラムされ、すでに指定されているバックアップリアクタは前記第１の反応物質供給容器、前記第２の反応物質供給容器、および前記生成物受取装置と結合され、その一方で、新しく指定されたバックアップリアクタは、前記第１の反応物質供給容器、前記第２の反応物質供給容器、および前記生成物受取装置から隔離され、それによって、前記新しく指定されたバックアップリアクタはメンテナンス作業に使用できるようになり、長期間にわたって前記所望の生成物の連続的生産が促進されることを特徴とする同心円状並列化学製品生産システム。
３５）  前記２６）に記載の同心円状並列化学製品生産システムであって、さらに、それぞれのリアクタ出口から放出される生成物を熱的に調整するように構成された生成物熱交換アセンブリを備えることを特徴とする同心円状並列化学製品生産システム。
３６）  前記２６）に記載の同心円状並列化学製品生産システムであって、前記生成物回収アセンブリは、それぞれのリアクタ出口から放出される生成物を熱的に調整するように構成された熱的調整構造物を備えることを特徴とする同心円状並列化学製品生産システム。
３７）  少なくとも２つの反応物質を組み合わせることにより所望の化学製品を生産するための同心円状並列化学製品生産システムであって、下記の（ａ）、（ｂ）および（ｃ）を含むことを特徴とする同心円状並列化学製品生産システム、すなわち、
（ａ）以下の(ｉ)、(ｉｉ)及び（ｉｉｉ）を含む第１段階、すなわち、
（ｉ）複数の化学リアクタであって、それぞれの化学リアクタが一定量の前記所望の化学製品を生産するように構成され、前記複数の化学リアクタのそれぞれの化学リアクタが少なくとも第１の反応物質入口、第２の反応物質入口、前記第１の反応物質入口および第２の反応物質入口と流体連通した状態で結合する反応体積、並びに生成物出口を備え、一般的に同心円状構成で配列され、それぞれのリアクタが内側末端および外側末端を備え、それぞれの内側末端はそれぞれの外側末端よりも前記複数の化学リアクタによって定められる円の中心に相対的により近接して配置され、それぞれの化学リアクタの前記第１の反応物質入口および前記第２の反応物質入口はそのリアクタの内側末端に隣接して配置されている、
複数の化学リアクタと、
（ｉｉ）第１の反応物質供給アセンブリであって、第１の反応物質供給容器と流体連通の状態で配置され、それぞれの化学リアクタの前記第１の反応物質入口を、前記第１の反応物質供給容器と並列に流体連通の状態で結合するように構成された第１の反応物質供給アセンブリと、
（ｉｉｉ）第２の反応物質供給容器と流体連通の状態で配置され、それぞれの化学リアクタの前記第２の反応物質入口を前記第２の反応物質供給容器と並列に流体連通の状態で結合するように構成された第２の反応物質供給アセンブリと、
を含む第１段階と、
（ｂ）生成物受取装置と流体連通の状態で結合するように構成された最終生成物回収アセンブリと、
（ｃ）少なくとも１つの追加段階であって、それぞれの追加段階が一般的に同心円状構成で配列された複数の化学リアクタを含み、これにより、
（ｉ）それぞれの追加段階の前記複数の化学リアクタの個数は、前記第１段階の前記複数のリアクタの個数に等しく、それぞれの追加段階のそれぞれの化学リアクタは、少なくとも１つの入口および生成物出口を備え、
（ｉｉ）それぞれの追加段階のそれぞれの化学リアクタの前記入口は、前記第１段階の対応する化学リアクタの前記生成物出口または先行する追加段階の対応する化学リアクタの前記生成物出口のうちの一方と流体連通の状態で結合され、
（ｉｉｉ）それぞれの追加段階のそれぞれの化学リアクタの前記出口は、後続の追加段階の対応する化学リアクタの前記入口および前記最終生成物回収アセンブリのうちの一方と流体連通の状態で結合される、
少なくとも１つの追加段階と、
を備えることを特徴とする同心円状並列化学製品生産システム。
３８）  前記３７）に記載の同心円状並列化学製品生産システムであって、前記第１段階および前記少なくとも１つの追加段階のうちの少なくとも一方は、生成物回収アセンブリを含み、該生成物回収アセンブリは、その段階のそれぞれの化学リアクタの前記生成物出口を結合するように構成され、それにより、その段階で生産される前記生成物は、単一の生成物の流れとして後続の段階に供給されることを特徴とする同心円状並列化学製品生産システム。
３９）  前記３７）に記載の同心円状並列化学製品生産システムであって、前記第１段階のそれぞれの化学リアクタの前記生成物出口は、前記少なくとも１つの追加段階の１つの、異なる化学リアクタの前記入口に結合されることを特徴とする同心円状並列化学製品生産システム。
４０）  前記３７）に記載の同心円状並列化学製品生産システムであって、さらに、前記第１段階の前記複数の化学リアクタのそれぞれの出口および後続の追加段階の前記複数の化学リアクタのそれぞれの入口と流体連通の状態で配置された弁システムを備え、該弁システムは前記第１段階のそれぞれの化学リアクタの前記生成物出口を、前記後続の追加段階の、異なる選択をされた化学リアクタの前記入口に選択的に結合できるようにすることを特徴とする同心円状並列化学製品生産システム。
４１）  前記３７）に記載の同心円状並列化学製品生産システムであって、さらに、前記第１の反応物質供給アセンブリ、前記第２の反応物質供給アセンブリ、および前記生成物回収アセンブリに制御可能なように接続されたシステムコントローラを備え、該システムコントローラは、前記同心円状並列化学製品生産システムの動作を自動化するように構成されたことを特徴とする同心円状並列化学製品生産システム。
４２）  前記４１）に記載の同心円状並列化学製品生産システムであって、さらに、複数のセンサを備え、それぞれのセンサは前記システムコントローラと論理的に結合され、それぞれセンサは前記第１段階のそれぞれの化学リアクタおよびそれぞれの追加段階のそれぞれの化学リアクタのうちの少なくとも一方で生産される生成物の品質の指標を提供するように構成され、前記システムコントローラは所定の品質よりも低い品質を有する生成物を生産するそれぞれの化学リアクタをバックアップリアクタとして指定するように構成されることを特徴とする同心円状並列化学製品生産システム。
４３）  少なくとも２つの反応物質を組み合わせることにより所望の化学製品を自動的に生産するための自動化連続的処理並列化学製品生産システムであって、該化学製品生産システムは以下の（ａ）、(ｂ)、(ｃ)及び(ｄ) を備えることを特徴とする化学製品生産システム、すなわち
（ａ）以下の(ｉ)、(ｉｉ)及び(ｉｉｉ)を備える第１段階、すなわち、
（ｉ）複数の化学リアクタであって、それぞれの化学リアクタが一定量の前記所望の化学製品を生産するように構成され、前記複数の化学リアクタのそれぞれの化学リアクタは少なくとも第１の反応物質入口、第２の反応物質入口、および生成物出口を備える、複数の化学リアクタと、
（ｉｉ）第１の反応物質供給容器と流体連通の状態で配置された第１の反応物質供給アセンブリであって、それぞれの化学リアクタの前記第１の反応物質入口を前記第１の反応物質供給容器と並列に流体連通の状態で結合するように構成された第１の反応物質供給アセンブリと、
（ｉｉｉ）第２の反応物質供給容器と流体連通の状態で配置された第２の反応物質供給アセンブリであって、それぞれの化学リアクタの前記第２の反応物質入口を前記第２の反応物質供給容器と並列に流体連通する状態で結合するように構成された第２の反応物質供給アセンブリと、
を備える第１段階と、
（ｂ）生成物受取装置と流体連通の状態で結合するように構成された生成物回収アセンブリと、
（ｃ）少なくとも１つの追加段階であって、それぞれの追加段階が複数の追加化学リアクタを備え、それによって、
（ｉ）それぞれの追加段階の前記追加化学リアクタの個数は、前記第１段階の前記複数のリアクタの個数に等しく、それぞれの追加化学リアクタは、少なくとも１つの入口および生成物出口を備え、
（ｉｉ）それぞれの追加段階のそれぞれの追加化学リアクタの前記入口は、前記第１段階の対応する化学リアクタの前記生成物出口または先行する追加段階の対応する化学リアクタの前記生成物出口のうちの一方と流体連通の状態で結合され、
（ｉｉｉ）それぞれの追加段階のそれぞれの追加化学リアクタの前記出口は、後続の追加段階の対応する化学リアクタの前記入口、または前記生成物回収アセンブリのうちの一方と流体連通の状態で結合され、前記生成物回収アセンブリはさらに最終追加段階のそれぞれの追加化学リアクタのそれぞれの生成物出口を生成物受取装置と流体連通の状態で選択的に結合するように構成されるような、
少なくとも１つの追加段階と、
（ｄ）前記第１の反応物質供給アセンブリ、前記第２の反応物質供給アセンブリ、および前記生成物回収アセンブリと制御可能なように結合されたシステムコントローラであって、該システムコントローラは、前記複数の化学リアクタによる前記所望の化学製品の生産を監視、制御し、前記第１段階の前記複数の化学リアクタのうちの少なくとも１つをバックアップリアクタとして指定し、及びそれぞれの追加段階の前記複数の追加化学リアクタのうちの少なくとも１つをバックアップリアクタとして指定し、前記システムコントローラにより、
（ｉ）前記第１の反応物質供給アセンブリが、前記バックアップリアクタの前記第１の反応物質入口を前記第１の反応物質供給容器から隔離し、その一方で、それぞれの他の化学リアクタの前記第１の反応物質入口を前記第１の反応物質供給容器と並列に流体連通の状態で結合し続け、
（ｉｉ）前記第２の反応物質供給アセンブリが、前記バックアップリアクタの前記第２の反応物質入口を前記第２の反応物質供給容器から隔離し、その一方で、それぞれの他の化学リアクタの前記第２の反応物質入口を前記第２の反応物質供給容器と並列に流体連通の状態で結合し続け、
（ｉｉｉ）前記生成物回収アセンブリがバックアップリアクタとして指定されている前記最終追加段階のそれぞれの追加化学リアクタの前記生成物出口を生成物受取装置から隔離し、その一方で、前記最終追加段階のそれぞれの他の追加化学リアクタの前記生成物出口を生成物受取装置と流体連通の状態で結合し続けるような、
システムコントローラと、
を備えることを特徴とする自動化連続的処理並列化学製品生産システム。
４４）  少なくとも２つの反応物質を組み合わせることにより所望の化学製品を自動的に生産するための自動化連続的処理並列化学製品生産システムであって、以下の（ａ）、(ｂ)、(ｃ)及び(ｃ)を備えることを特徴とする化学製品生産システム、すなわち
（ａ）以下の(ｉ)、(ｉｉ)及び(ｉｉｉ)を含む備える第１段階、すなわち、
（ｉ）複数の化学リアクタであって、それぞれの化学リアクタが一定量の前記所望の化学製品を生産するように構成され、前記複数の化学リアクタのそれぞれの化学リアクタは少なくとも第１の反応物質入口、第２の反応物質入口、および生成物出口を備える、
複数の化学リアクタと、
（ｉｉ）第１の反応物質供給アセンブリであって、第１の反応物質供給容器と流体連通の状態で配置され、それぞれの化学リアクタの前記第１の反応物質入口を前記第１の反応物質供給容器と並列に流体連通の状態で結合するように構成された第１の反応物質供給アセンブリと、
（ｉｉｉ）第２の反応物質供給アセンブリであって、第２の反応物質供給容器と流体連通の状態で配置され、それぞれの化学リアクタの前記第２の反応物質入口を前記第２の反応物質供給容器と並列に流体連通の状態で結合するように構成された第２の反応物質供給アセンブリと、
を備える第１段階と、
（ｂ）複数の追加化学リアクタを備える第２段階であって、
（ｉ）前記第１段階にある化学リアクタと少なくとも同じ数だけ前記第２段階に追加化学リアクタがあり、
（ｉｉ）前記第２段階のそれぞれの追加化学リアクタは、少なくとも、入口および第２段階生成物出口を備え、それぞれの追加化学リアクタの入口は前記第１段階で生産される生成物を受け取り、前記生成物を反応物質として使用して第２段階生成物を生産するように構成されるような第２段階と、
（ｃ）前記第２段階のそれぞれの化学リアクタの前記第２段階生成物出口を生成物受取装置と流体連通の状態で結合するように構成された生成物回収アセンブリと、
（ｄ）前記第１の反応物質供給アセンブリ、前記第２の反応物質供給アセンブリ、および前記生成物回収アセンブリと制御可能なように結合されたシステムコントローラであって、前記複数の化学リアクタによる前記所望の化学製品の生産を監視、制御し、前記第１段階の前記複数の化学リアクタのうちの少なくとも１つをバックアップリアクタとして指定し、及び前記第２の段階の前記複数の追加化学リアクタのうちの少なくとも１つをバックアップリアクタとして指定し、前記システムコントローラにより、
（ｉ）前記第１の反応物質供給アセンブリが前記バックアップリアクタの前記第１の反応物質入口を前記第１の反応物質供給容器から隔離し、その一方で、それぞれの他の化学リアクタの前記第１の反応物質入口を前記第１の反応物質供給容器と並列に流体連通の状態で結合し続け、
（ｉｉ）前記第２の反応物質供給アセンブリが前記バックアップリアクタの前記第２の反応物質入口を前記第２の反応物質供給容器から隔離し、その一方で、それぞれの他の化学リアクタの前記第２の反応物質入口を前記第２の反応物質供給容器と並列に流体連通の状態で結合し続け、
（ｉｉｉ）前記生成物回収アセンブリが前記第２段階バックアップリアクタの前記第２段階生成物出口を前記生成物受取装置から隔離し、その一方で、前記第２段階のそれぞれ他の追加化学リアクタの前記第２段階生成物出口を、前記生成物受取装置と流体連通の状態で結合し続けるようなシステムコントローラと、
を備えることを特徴とする自動化連続的処理並列化学製品生産システム。
４５）  前記４４）に記載の自動化連続的処理並列化学製品生産システムであって、
（ａ）前記第１段階は、さらに、前記第１段階のそれぞれの化学リアクタの前記生成物出口を前記第２段階と流体連通の状態で結合するよう構成された第１段階生成物回収アセンブリを備え、前記第１段階生成物回収アセンブリは生成物流体流路および廃液流体流路を備え、前記第１段階生成物回収アセンブリは前記システムコントローラに制御可能なように結合され、それによって、前記システムコントローラにより前記第１段階生成物回収アセンブリが前記第１段階バックアップリアクタの前記生成物出口を前記廃液流体流路に結合し、その一方で、前記第１段階のそれぞれの他の化学リアクタの前記生成物出口を前記生成物流体流路と流体連通の状態で結合し、それによって、前記第１段階で生産された前記生成物は、前記第２段階に単一の生成物の流れとして供給され、
（ｂ）前記第２段階は、さらに、前記第１段階生成物回収アセンブリと流体連通の状態で配置され、前記第２段階のそれぞれの追加化学リアクタの前記入口を前記第１段階生成物回収アセンブリと並列に流体連通の状態で結合するように構成された第２段階反応物質供給アセンブリを含み、前記第２段階反応物質供給アセンブリは前記システムコントローラに制御可能なように結合され、それによって、前記システムコントローラにより前記第２段階反応物質供給アセンブリが、前記第２段階バックアップリアクタの前記入口を前記第１段階生成物回収アセンブリの前記生成物流体流路から隔離し、その一方で、前記第２段階のそれぞれの他の追加化学リアクタの前記入口を前記第１段階生成物回収アセンブリの前記生成物流体流路と流体連通の状態で結合すること、
を特徴とする自動化連続的処理並列化学製品生産システム。
４６）  前記４４）に記載の自動化連続的処理並列化学製品生産システムであって、前記第１段階のそれぞれの化学リアクタの前記生成物出口は、前記第２段階の異なる追加化学リアクタの前記入口に結合されることを特徴とする自動化連続的処理並列化学製品生産システム。
４７）  前記４４）に記載の自動化連続的処理並列化学製品生産システムであって、さらに、前記第１段階の前記複数の化学リアクタのそれぞれの出口、および前記第２段階の前記複数の追加化学リアクタのそれぞれの入口と流体連通の状態で配置されている弁システムを備え、前記弁システムは前記システムコントローラに制御可能なように結合され、それによって、前記システムコントローラにより、
（ａ）前記第１段階の前記指定されたバックアップリアクタの前記生成物出口が、前記第２段階の前記指定されたバックアップリアクタの前記入口と流体連通の状態で結合され、
（ｂ）前記第１段階の前記バックアップリアクタとして指定されていない前記第１段階のそれぞれの化学リアクタの前記生成物出口が、前記第２段階の前記追加化学リアクタのうちの選択された異なる１つの前記入口と流体連通の状態で結合され、前記追加化学リアクタの前記異なる１つの化学リアクタは、前記第２段階の前記バックアップリアクタとして指定されないことを特徴とする自動化連続的処理並列化学製品生産システム。
４８）  前記４４）に記載の自動化連続的処理並列化学製品生産システムであって、前記第１段階の前記複数のリアクタは、実質的に同心円状配向で配列され、前記複数の化学リアクタへの反応物の分配を強化することを特徴とする自動化連続的処理並列化学製品生産システム。
４９）  前記４４）に記載の自動化連続的処理並列化学製品生産システムであって、さらに、複数のセンサを備え、それぞれのセンサは前記システムコントローラと論理的に結合され、それぞれセンサは前記第１段階のそれぞれの化学リアクタおよび前記第２段階のそれぞれの追加化学リアクタのうちの少なくとも１つで生産される生成物の品質の指標を供給するように構成され、前記システムコントローラは所定の品質よりも低い品質を有する生成物を生産するそれぞれのリアクタをバックアップリアクタとして指定するように構成されることを特徴とする自動化連続的処理並列化学製品生産システム。
５０）  少なくとも２つの反応物質を組み合わせることにより所望の化学製品を生産するための以下の（ａ）および（ｂ）を備えることを特徴とする同心円状並列化学製品生産システム、すなわち
（ａ）以下の（ｉ）および（ｉｉ）を備える第１段階、すなわち
（ｉ）複数の化学リアクタであって、それぞれの化学リアクタが一定量の所望の化学製品を生産するように構成され、前記複数の化学リアクタのそれぞれの化学リアクタは少なくとも第１の反応物質入口、第２の反応物質入口、前記第１の反応物質入口および前記第２の反応物質入口と流体連通の状態で結合した反応体積、並びに生成物出口を備え、前記複数の化学リアクタは一般的に同心円状配置に配列され、もって、それぞれのリアクタが内側末端および外側末端を備え、それぞれの内側末端はそれぞれの外側末端よりも前記複数の化学リアクタによって定められる円の中心に相対的により近接して配置され、それぞれの化学リアクタの前記第１の反応物質入口および前記第２の反応物質入口はそのリアクタの内側末端に隣接して配置されている、
複数の化学リアクタと、
（ｉｉ）以下の（１）および（２）を備える反応物質供給容器、すなわち
（１）第１の反応物質供給アセンブリであって、第１の反応物質供給容器と流体連通の状態に置かれ、それぞれの化学リアクタの前記第１の反応物質を前記第１の反応物質供給容器と並列に流体連通した状態で結合するように構成された第１の反応物質供給アセンブリと、
（２）第２の反応物質供給アセンブリであって、第２の反応物質供給容器と流体連通の状態に置かれ、それぞれの化学リアクタの前記第２の反応物質を前記第２の反応物質供給容器と並列に流体連通した状態で結合するように構成された第２の反応物質供給アセンブリと、
を備える反応物質供給装置と、
を備える第１段階と、
（ｂ）複数の追加化学リアクタおよび生成物回収アセンブリを備える第２段階であって、前記複数の追加化学リアクタおよび前記生成物回収アセンブリは、
（ｉ）前記第２段階の追加化学リアクタの個数は前記第１段階の複数のリアクタの個数に等しく、
（ｉｉ）前記第２段階のそれぞれの追加化学リアクタは少なくとも入口、第２段階生成物出口を備え、
（ｉｉｉ）前記生成物回収アセンブリは、生成物受取装置と流体連通の状態に置かれ、前記第２段階のそれぞれの化学リアクタの第２段階生成物出口を前記生成物受取装置と流動連通の状態で結合するよう構成され、および
（ｉｖ）前記第１段階のそれぞれの化学リアクタのそれぞれの生成物出口は前記第２段階の追加化学リアクタの異なる一つの前記出口に結合され、もって、前記第２段階のそれぞれの追加化学リアクタは前記第１段階のただ一つの化学リアクタと結合する、
ように構成する第２段階と、
を備えることを特徴とする同心円状並列化学製品生産システム。
５１）  少なくとも２つの反応物質を組み合わせることにより所望の化学製品を生産するための以下の（ａ）、（ｂ）および（ｃ）を備えることを特徴とする同心円状並列化学製品生産システム、すなわち  
（ａ）以下の（ｉ）および（ｉｉ）を備える第１段階、すなわち
（ｉ）複数の化学リアクタであって、それぞれの化学リアクタが一定量の所望の化学製品を生産するように構成され、前記複数の化学リアクタのそれぞれの化学リアクタは少なくとも第１の反応物質入口、第２の反応物質入口、前記第１の反応物質入口および前記第２の反応物質入口と流体連通の状態で結合した反応体積、並びに生成物出口を備え、前記複数の化学リアクタは一般的に同心円状配置に配列され、もって、それぞれのリアクタが内側末端および外側末端を備え、それぞれの内側末端はそれぞれの外側末端よりも前記複数の化学リアクタによって定められる円の中心に相対的により近接して配置され、それぞれの化学リアクタの前記第１の反応物質入口および前記第２の反応物質入口はそのリアクタの内側末端に隣接して配置されている、
複数の化学リアクタと、
（ｉｉ）以下の（１）および（２）を備える反応物質供給装置、すなわち
（１）第１の反応物質供給アセンブリであって、第１の反応物質供給容器と流体連通の状態に置かれ、それぞれの化学リアクタの前記第１の反応物質を前記第１の反応物質供給容器と並列に流体連通した状態で結合するように構成された第１の反応物質供給アセンブリと、
（２）第２の反応物質供給アセンブリであって、第２の反応物質供給容器と流体連通の状態に置かれ、それぞれの化学リアクタの前記第２の反応物質を前記第２の反応物質供給容器と並列に流体連通した状態で結合するように構成された第２の反応物質供給アセンブリと、
を備える反応物質供給装置と、
を備える第１段階と、
（ｂ）複数の追加化学リアクタおよび生成物回収アセンブリを備える第２段階であって、前記複数の追加化学リアクタおよび前記生成物回収アセンブリは、
（ｉ）前記第２段階の追加化学リアクタの個数は前記第１段階の複数のリアクタの個数に等しく、
（ｉｉ）前記第２段階のそれぞれの追加化学リアクタは少なくとも入口、第２段階生成物出口を備え、
（ｉｉｉ）前記生成物回収アセンブリは、生成物受取装置と流体連通の状態に置かれ、前記第２段階のそれぞれの化学リアクタの第２段階生成物出口を前記生成物受取装置と流動連通の状態で結合するよう構成され、および
（ｉｖ）前記第１段階のそれぞれの化学リアクタのそれぞれの生成物出口は前記第２段階の追加化学リアクタの異なる一つの前記出口に結合され、もって、前記第２段階のそれぞれの追加化学リアクタは前記第１段階のただ一つの化学リアクタと結合する、
ように構成する第２段階と、
（ｃ）前記第１段階のそれぞれの複数の化学リアクタの前記出口、および前記第２段階のそれぞれの複数の追加化学リアクタの前記入口と流体連通の状態に配置された弁システムであって、前記第１段階のそれぞれの化学リアクタの前記生成物出口を前記第２段階の選択された追加化学リアクタの前記入口と選択的に結合することを可能にする、
弁システムと、
を備えることを特徴とする同心円状並列化学製品生産システム。